(57)【要約】【課題】雌雄嵌合部間に働く引張り外力の向きの違いにかかわらず外力が限界以上となったとき係合が外れるようにする。【解決手段】ベルト繋ぎ部１１、１２から延びて互いに突き合わせ嵌合する雌雄嵌合部１３、１４を有する雌部材Ａと雄部材Ｂとを組み合わせ、雌雄嵌合部１３、１４のベルト面に平行な嵌合面１３ａ、１４ａ間に、雌雄嵌合部１３、１４の一方または双方の弾性を利用した突き合わせ嵌合時に係合して引っ掛かり合う凹凸部１３ｂ、１４ｂを設けて、これら凹凸部１３ｂ、１４ｂをその引っ掛かり合いによって雌雄嵌合部１３、１４間の凹凸部１３ｂ、１４ｂまわりの遊びＳ１、Ｓ２を利用して回動する関節部および双方の抜け止め部とし、凹凸部１３ｂ、１４ｂにおける前記関節部まわりの回動範囲での嵌合解除側となる係合域に前記引っ掛かりを緩和する引っ掛かり緩和部を設けることにより、上記の目的を達成する。【選択図】図４
2007282531.tif 000002
【特許請求の範囲】
【請求項１】
ベルト繋ぎ部から延びて互いに突き合わせ嵌合する雌雄嵌合部を有する雌部材と雄部材との組み合わせよりなり、雌雄嵌合部のこれらに繋ぐベルト面に平行な嵌合面間に、雌雄嵌合部の一方または双方の弾性を利用した突き合わせ嵌合時に係合して引っ掛かり合う凹凸部を設けて、これら凹凸部をその引っ掛かり合いによって雌雄嵌合部間の凹凸部まわりの遊びを利用して回動する関節部および双方の抜け止め部とし、凹凸部間における前記関節部まわりの回動範囲での嵌合解除側となる係合域に前記引っ掛かりを緩和する引っ掛かり緩和部を設けたことを特徴とするベルト連結具。
【請求項２】
引っ掛かり緩和部は、凹凸部の一方または双方に引っ掛かりを緩和する傾斜面やアール面である請求項１に記載のベルト連結具。
【請求項３】
凹凸部は、雌雄嵌合部のベルトに平行な表裏の嵌合面間双方に設けてあり、引っ掛かり緩和部は、一方の面の凹凸部に設けてある請求項１、２のいずれか１項に記載のベルト連結具。
【請求項４】
表裏の少なくとも一面側の凹部は、雌部材の外面まで貫通した穴である請求項３に記載のベルト連結具。
【請求項５】
請求項１〜４のいずれか１項に記載のベルト連結具における雌雄部材のベルト繋ぎ部にベルトの両端部をそれぞれ繋いだことを特徴とする猫の首輪。
【発明の詳細な説明】
【技術分野】
【０００１】
本発明は、愛玩動物用、特に猫用の首輪などに用いるベルト連結具とそれを用いた猫の首輪に関するものである。
【背景技術】
【０００２】
犬・猫に代表されるペットブームの高まりの中で、欧米諸国を筆頭に愛玩動物の安全が強く望まれている。
【０００３】
特に、猫については次の様な配慮がなされている。猫は狭い所を通り抜ける習性を持っているが、本発明の実施の形態を示す図６に示すように鈴を付けたり或いは装飾を付けるために、首輪を付けることが一般に行われており、この首輪が前記の通り抜け時に何かに引っ掛かることがある。このような際に、その猫が引っ掛かった首輪から抜け出せず餓死してしまうケースが少なからずある。これを解消するために、首輪の一部に伸縮部を設け、引っ掛かった場合、ベルトの伸びによって猫の頭が首輪から抜けるようにしたものがある。
【０００４】
この場合、首輪の一部に設けた伸縮部が、例えばゴム部分の伸びによるものでは、ゴム部分のゴム弾性を強くしておけば、猫の首を圧迫したり締め気味になったりして好ましくないだけではなく、首輪が引っ掛かった場合に、周囲の障害物の配置によっては、猫の動きが制限されて、猫が首輪を伸ばすことができる方向に首輪を引っ張っても、その方向では、猫がその首輪から抜け出すことができるとは限らず、抜け出せなかったりする。逆に、ゴム部分のゴム弾性を弱くして、首輪が引っ掛かった場合に、猫が抜け出し易くすると、猫の通常の行動中に首輪が外れることがある。
【０００５】
そこで、互いに突き合わせ嵌合する嵌合部を有する雌部材と雄部材とをベルトの各端部に振り分けて配し、雌雄各部材の嵌合部相互間に、この突き合わせ方向と交差する方向に係合して引っ掛かり合い抜け止めする係合凹部と係合突部とを有し、これら係合凹部と係合突部との引っ掛かり面の少なくとも一方が、前記突き合わせ方向に対し前記引っ掛かりを緩和する方向に傾斜した斜面とし、着用中に限度以上の外力がベルトに働くと、前記斜面部に滑りが生じて係合凹部と係合突部との前記係合が外れるようにしたものが既に知られている（例えば、特許文献１参照。）。
【特許文献１】実公平８−６４５２号公報
【発明の開示】
【発明が解決しようとする課題】
【０００６】
特許文献１に記載のものは長年猫などの安全に貢献してきた。しかし、一方では、１００％安全を確保するのは困難であることの指摘があり、引っ掛かりに対する安全性のさらに高いものが望まれる。
【０００７】
この点につき、本発明者は種々に実験をしながら検討を重ねた結果、特許文献１に記載のものは一軸上で雌雄嵌合するものであるのに対し、猫が着用している首輪を針金などに引っ掛けてもがく場合、引っ掛かりによる引っ張り外力の方向が雌雄嵌合部が嵌合し合う一軸上でないことがある。このような場合に係合が外れにくかったり、外れないことがあることを知見した。そこで、本発明者は係合の緩和構造を有した突き合わせ嵌合の方向性を広げることを着想し、上記のような要求に対応できる技術を見出した。
【０００８】
本発明の目的は、雌雄嵌合部間に働く引張り外力の向きの違いにかかわらず外力が限界以上となったとき係合が外れるベルト連結具とそれを用いた猫の首輪を提供することにある。
【課題を解決するための手段】
【０００９】
上記のような目的を達成するため、本発明のベルト連結具は、ベルト繋ぎ部から延びて互いに突き合わせ嵌合する雌雄嵌合部を有する雌部材と雄部材との組み合わせよりなり、雌雄嵌合部のこれらに繋ぐベルト面に平行な嵌合面間に、雌雄嵌合部の一方または双方の弾性を利用した突き合わせ嵌合時に係合して引っ掛かり合う凹凸部を設けて、これら凹凸部をその引っ掛かり合いによって雌雄嵌合部間の凹凸部まわりの遊びを利用して回動する関節部および双方の抜け止め部とし、凹凸部における前記関節部まわりの回動範囲での嵌合解除側となる係合域に前記引っ掛かりを緩和する引っ掛かり緩和部を設けたことを特徴としている。
【００１０】
このような構成では、雌雄部材の嵌合面間に凹凸部を有した雌雄嵌合部どうしをそれらの一方または双方の弾性を利用して突き合わせ嵌合すると凹凸部どうしが係合した抜け止め状態となり、ベルトの両端間を連結して猫などに装着することができる。この連結状態から凹凸部どうしの係合解除を伴い雌雄嵌合部どうしの嵌合を外すことでベルトの連結を解くことができる。猫などへの装着状態でベルトが針金などに引っ掛かるなどして左右に振れ係合し合っている凹凸部に対する引張り外力の向きが変化しても、雌雄嵌合部はベルト面に平行な嵌合面上の凹凸部を関節部とした回動で引っ張り外力の向きが凹凸部を通る線上にあるように追随して、しかも、引張り外力が凹凸部の前記回動の範囲での嵌合解除側となる係合域に設けられた引っ掛かり緩和部から外れないようにするので、外力が限度以上となったとき引っ掛かり緩和部が拗れなどによる引っ掛かりなどなく確実に働いて、凹凸部の係合解除を伴い雌雄嵌合部の嵌合が外れる。
【００１１】
引っ掛かり緩和部は、凹凸部の一方または双方に引っ掛かりを緩和する傾斜面やアール面である、さらなる構成では、
凹凸部は、通常、嵌合面に対して直角な立ち下がり、立ち上がりをなして形成されてベルトの引張り外力の方向に直交し凹凸部どうしの係合が外れる向きの分力を発生させない抜け止め機能を発揮させるところ、傾斜面やアール面はベルトの引張り外力に対する傾き度に応じ凹凸部どうしの係合が外れる向きの分力を発生させ、傾斜度やアールの範囲、曲率、形状に応じ凹凸部どうしの引っ掛かり度を緩和するので、必要とされる限界外力に正しく対応できる。
【００１２】
凹凸部は、雌雄嵌合部のベルトに平行な表裏の嵌合面間双方に設けてあり、引っ掛かり緩和部は、一方の面の凹凸部に設けてある、さらなる構成では、
凹凸部どうしが係合して引っ掛かり合う抜け止め機能が、雌雄嵌合部のベルトに平行な表裏の嵌合面間双方でバランスよく発揮されて、抜け止め機能が表裏の嵌合面間で一方側に片寄るのを回避することができるし、抜け止めのための引っ掛かりが表裏の嵌合面間双方の凹凸部で分担されることにより引っ掛かり代を小さくして十分な抜け止め機能を発揮することができる。
【００１３】
表裏の少なくとも一面側の凹部は、雌部材の外面まで貫通した穴である、さらなる構成では、
凹部が雌部材の外面まで貫通していると、雄部材の凸部が凹部に係合する様子を外部から観察することができる。
【００１４】
以上の各連結具は、雌雄部材のベルト繋ぎ部にベルトの両端部をそれぞれ繋いだ猫の首輪をも実現することができる。
【発明の効果】
【００１５】
本発明のベルト連結具によれば、雌雄部材の雌雄嵌合部をそれらの嵌合面間にある凹凸部の弾性的な係合を伴い突き合わせ嵌合してベルトの両端を連結するのに、ベルトが猫などに装着されて針金などに引っ掛かってベルトに引張り力が働いた状態で係合している凹凸部に対し左右に振れても、雌雄嵌合部は凹凸部を関節部として追随し引っ張り外力の向きが凹凸部や凹凸部の引っ掛かり緩和部から外れず、外力が限度以上となったとき引っ掛かり緩和部が凹凸部の係合解除をもたらし雌雄嵌合部の嵌合を外すので、従来に増して猫などの安全が図れる。
【発明を実施するための最良の形態】
【００１６】
本発明の実施の形態につき図面に基づいて説明する。図１〜図５に示す実施の形態のベルト連結具１は、雌部材Ａ、雄部材Ｂの組合せからなり、例えば図６に示す実施の形態の猫の首輪２のようにベルトＣの両端を連結して猫に装着するのに用いられる。
【００１７】
そのような猫の首輪２のベルトＣなどの連結のために、ベルト連結具１の雌雄部材Ａ、Ｂは図１〜図４に示すように、ベルト繋ぎ部１１、１２から延びて互いに突き合わせ嵌合する雌雄嵌合部１３、１４を有している。これら雌雄嵌合部１３、１４はベルト繋ぎ部１１、１２に繋ぐベルトＣなどのベルト面に平行な嵌合面１３ａ、１４ａ間に、雌雄嵌合部１３、１４の一方または双方の弾性を利用した突き合わせ嵌合時に係合して引っ掛かり合う凹凸部１３ｂ、１４ｂを設けている。これら凹凸部１３ｂ、１４ｂはその引っ掛かり合いによって雌雄嵌合部１３、１４間の凹凸部１３ｂ、１４ｂまわりの図１、図３に示すような中央位置で両側にできる遊びＳ１、Ｓ２を利用して回動する関節部および双方の抜け止め部として働く。凹凸部１３ｂ、１４ｂにはその関節部としての図５に示すＲ１＋Ｒ２となる回動範囲Ｒでの嵌合解除側となる、言い換えればベルトＣが針金などに引っ掛かることにより雌雄部材Ａ、Ｂの突合せ嵌合を外す図５に示すような引張り外力Ｆ0が働く側となる係合域Ｑに前記引っ掛かりを緩和する引っ掛かり緩和部Ｄを設けてある。
【００１８】
前記凹凸部１３ｂ、１４ｂどうしの係合を伴なう突合せ嵌合のための弾性は、雌嵌合部１３の先端から凹部１３ｂの形成位置をベルト繋ぎ部１１側に越えるまで表裏間で切り込んだ切り込み部２１により、この切り込み部２１を挟んで二股状になっている表面片１３ｃ、裏面片１３ｄどうしの弾性変形することによって実現している。このため雌部材Ａはそのような弾性変形ができる樹脂材料、具体的にはポリカーボネートなどの合成樹脂成形品としてある。本実施の形態の雄部材Ｂは弾性動作は要らないが、雌部材Ａと材料を統一するために同じポリカーボネートなどの合成樹脂成形品としてある。また、雄部材Ｂの凸部１４ｂは図２、図４、図６に示すように、雄部材Ｂの先端側に向け低くなる、具体的には凸部１４ｂの高さが０となるように低くなる斜面１４ｂ２を形成してある。これにより、雄部材Ｂの雄嵌合部１４を雌部材Ａの雌嵌合部１３に突き合わせ嵌合するとき、雄嵌合部１４の先端部が引っ掛かりなく雌嵌合部１３内に挿入することができる。雄嵌合部１４の先端が雌嵌合部１３に入った後、雄嵌合部１４を雌嵌合部１３にさらに押し込んでいくと、凸部１４ｂの斜面１４ｂ２にて雌嵌合部１３の表裏片１３ｃ、１３ｄ間をそれらの弾性復元力に抗して表裏側に押し広げながら進入することができる。この進入によって凸部１４ｂが凹部１３ｂに対向しあったとき、雌嵌合部１３の表裏片１３ｃ、１３ｄが自身の弾性によって初期位置に復帰し凹部１３ｂを凸部１４ｂに係合させて雌雄部材Ａ、Ｂどうしを抜け止め状態に連結する。
【００１９】
前記回動範囲Ｒは、既述したように図５（ａ）に示す一方側への回動範囲Ｒ１と（ｂ）に示す反対側への回動範囲Ｒ２とを合わせた角度範囲に設定してある。一方側の回動範囲Ｒ１は、雌部材Ａにおける雌嵌合部の凹凸部１３ｂ、１４ｂまわりのベルト繋ぎ部１１側に形成した周壁１５の一方側の端部１５ａと、雄部材Ｂにおける雄嵌合部１４とベルト繋ぎ部１２との間の一方側の肩部１６ａとの、一方側の遊びＳ１を設定しているものどうしの当接によって規制している。他方側の回動範囲Ｒ２は、雌部材Ａにおける周壁１５の他方側の端部１５ｂと雄部材Ｂにおける雄嵌合部１４とベルト繋ぎ部１２との間の他方に形成した凹凸部１３ｂ、１４ｂを関節部との他方側の肩部１６ｂとの、他方側の遊びＳ２を設定しているものどうしの当接によって規制している。しかし、このようにした回動範囲Ｒを設定する遊びＳ（＝Ｓ１＋Ｓ２）や規制方式は別の方式によっても達成でき、具体的な方式は特に問わない。
【００２０】
ここで、凹凸部１３ｂ、１４ｂは前記関節機能を発揮するため、図１、図３に示すように平面視して円形としてある。しかし、これに限られることはなく、少なくとも凹部１３ｂが円形であればよい。
【００２１】
引っ掛かり緩和部Ｄは、凹凸部１３ｂ、１４ｂの一方または双方に引っ掛かりを緩和する傾斜面やアール面を形成して実現でき、本実施の形態では図４に示すように凹部１３ｂ、凸部１４ｂの双方に形成した丸みを持って面取りによりアール面１３ｂ３、１４ｂ３としてあり、これを傾斜面に変更することもできる。凹凸部１３ｂ、１４ｂは、通常、嵌合面１３ａ、１４ａに対して直角な立ち下がり、立ち上がりをなして形成されてベルトＣなどの図４に示す引張り外力Ｆ0の方向に直交し凹凸部１３ｂ、１４ｂどうしの係合が外れる向きの分力を発生させない抜け止め機能を発揮させるところ、アール面１３ｂ３、１４ｂ３や傾斜面はベルトＣなどの引張り外力Ｆ0に対する傾き度に応じた図４に例示するような外力Ｆ0＝分力Ｆ1＋分力Ｆ2、分力Ｆ１＝分力Ｆ3＋分力Ｆ4の関係から、凹凸部１３ｂ、１４ｂどうしの係合が外れる向きの分力Ｆ3を発生させ、アール面１３ｂ３、１４ｂ３の範囲、曲率、形状に応じ凹凸部どうしの引っ掛かり度を緩和するので、必要とされる限界外力に正しく応答できる。
【００２２】
アール面１３ｂ３、１４ｂ３どうしは互いに密着していることと、嵌合面１３ａ、１４ａからの立ち上がり部の接線が直角またはそれに近い設定であることと、によって、引張り外力Ｆ0に対して比較的大きな引っ掛かり力を示しながらも、アール面１３ｂ３、１４ｂ３の全域での平均的な分力成分Ｆ3によって凸部１４ｂが凹部１３ｂからふわっと押出されるようにして係合が解除され引っ掛かりがなくなるので、傾斜面を利用する場合限界外力に対応させる調整に比し簡単で確実なものとなる。
【００２３】
本実施の形態での凹凸部１３ｂ、１４ｂは図２、図４に示すように、雌雄嵌合部１３、１４のベルトＣなどに平行な表側の嵌合面１３ａ、１４ａ間と裏側の嵌合面１３ａ、１４ａ間との双方に設けてある。これにより、凹凸部１３ｂ、１４ｂどうしが係合して引っ掛かり合う抜け止め機能は、雌雄嵌合部１３、１４のベルトＣなどに平行な表側の嵌合面１３ａ、１４ａ間と、裏側の嵌合面１３ａ、１４ａ間との、双方でバランスよく発揮される。従って、抜け止め機能が表裏の嵌合面１３ａ、１４ａ間で一方側に片寄るのを回避することができるし、抜け止めのための引っ掛かりが表側の嵌合面１３ａ、１４ａ間の凹凸部１３ｂ、１４ｂと、裏側の嵌合面１３ａ、１４ａ間の凹凸部１３ｂ、１４ｂとで分担されることにより引っ掛かり代を小さくして十分な抜け止め機能を発揮することができる。しかし、前記引っ掛かり緩和部Ｄは、一方の面、具体的には表側の嵌合面１３ａ、１４ａ間の凹凸部１３ｂ、１４ｂ間にだけ設けて、凹凸部１３ｂ、１４ｂどうしの引っ掛かりの緩和が過度にならないようにしてある。この場合、引っ張り外力Ｆ0に対し表面側の凹凸部１３ｂ、１４ｂの係合が先に外れることになるが、裏面側の凹凸部１３ｂ、１４ｂによる引っ掛かりが一瞬残った状態になるが、引っ掛かりの偏りによる凹部１３ｂに対する凸部１４ｂの傾斜と、この凹凸部１３ｂ、１４ｂの係合代が表側の凹凸部１３ｂ、１４ｂの係合代よりも小さいこと、とによって少しの遅れをもって確実に係合が解除される。このとき、凸部１４ｂの頂面と側周面との間の小さなアールが係合解除を促進する。もっとも、これに限られることはなく、表裏両側の凹凸部１３ｂ、１４ｂに設けてもよい。
【００２４】
ここで、凹部１３ｂと凸部１４ｂとを雌雄嵌合部１３、１４に対し逆の関係で設けることもできるが、図示例のように凹部１３ｂを雌嵌合部１３側に設けるのに、雌嵌合部１３における表裏面片１３ｃ、１３ｄの凹部１３ｂは、少なくともその一方を雌部材Ａの外面、つまり雌嵌合部１３の外面まで貫通した穴としている。図１〜図５に示す例では裏面片１３ｄの凹部１３ｂを穴としてある。このように凹部１３ｂが雌部材Ａ、雌嵌合部１３の外面まで貫通していると、雄部材Ｂの凸部１４ｂが凹部１３ｂに係合する様子を外部から観察することができる。また、表面片１３ｃの凹部１３ｂも貫通穴としてもよいが、図６に示すようにベルトＣを連結して猫の首などに装着して使用するのに、凹凸部１３ｂ、１４ｂどうしの嵌合部が外部に露出して異物の入り込みや他との引っ掛かり、外力などの影響で損傷するような原因にならないとも限らない。この意味で、図１〜図５に示す例のように表面片１３ｃの凹部１３ｂは貫通穴としないことにより、表面片１３ｃが雌雄嵌合部１３、１４の嵌合部を外力から保護できる利点が得られる。
【００２５】
以上のようなベルト連結具１によれば、雌雄部材Ａ、Ｂの嵌合面１３ａ、１４ａ間に凹凸部１３ｂ、１４ｂを有した雌雄嵌合部１３、１４どうしをそれらの一方または双方の弾性を利用して突き合わせ嵌合させれば、凹凸部１３ｂ、１４ｂどうしが係合した既述の抜け止め状態となり、図６に示すように繋いだベルトＣなどの両端間を連結して猫などに装着することができる。この連結状態から凹凸部１３ｂ、１４ｂどうしの係合解除を伴い雌雄嵌合部１３、１４どうしの嵌合を外すことでベルトＣの連結を解くことができる。猫などへの装着状態でベルトＣが針金などに引っ掛かるなどして左右に振れて係合し合っている凹凸部１３ｂ、１４ｂに対する引張り外力Ｆ0の向きが図５（ａ）と図５（ｂ）との間で変化しても、雌雄嵌合部１３、１４はベルト面に平行な嵌合面１３ａ、１４ａ上の凹凸部１３ｂ、１４ｂを関節部とした回動で引っ張り外力Ｆ0の向きが図５（ａ）（ｂ）に示すように凹凸部１３ｂ、１４ｂを通る線上にあるように追随して、しかも、引張り外力Ｆ0が凹凸部１３ｂ、１４ｂの前記回動範囲Ｒの係合域に設けられた引っ掛かり緩和部Ｄから外れないようにするので、外力が限度以上となったとき引っ掛かり緩和部Ｄが拗れなどによる引っ掛かりなどなく確実に働いて、凹凸部１３ｂ、１４ｂの係合解除を伴い雌雄嵌合部１３、１４の嵌合が外れるようになる。
【００２６】
以上の結果、雌雄部材Ａ、Ｂの雌雄嵌合部１３、１４をそれらの嵌合面１３ａ、１４ａ間にある凹凸部１３ｂ、１４ｂの弾性的な係合を伴い突き合わせ嵌合してベルトＣなどの両端を連結するのに、ベルトＣが猫などに装着されて針金などに引っ掛かってベルトＣに引張り力Ｆ0が働いた状態で係合している凹凸部１３ｂ、１４ｂに対し左右に振れても、雌雄嵌合部１３、１４は凹凸部１３ｂ、１４ｂを関節部として追随し引っ張り外力Ｆ0の向きが凹凸部１３ｂ、１４ｂや凹凸部１３ｂ、１４ｂの引っ掛かり緩和部Ｄから外れず、外力Ｆ0が限度以上となったとき引っ掛かり緩和部Ｄが凹凸部１３ｂ、１４ｂの係合解除をもたらし雌雄嵌合部１３、１４の突き合せ嵌合を外すので、従来に増して猫などの安全が図れる。
【００２７】
図７に示す実施の形態のベルト連結具１０１は、先のベルト連結具１の場合同様に雌雄部材Ａ、Ｂの組合せからなるが、雄部材Ｂの雄嵌合部１４にも先端側から凸部１４ｂの位置をベルト繋ぎ部１２側に越えるまで表裏間で切り込んだ切り込み部３１を形成した点で、先の実施の形態のベルト連結具１と相違し、他は変わらないので共通する部分には同一の符号を付して重複する説明は省略する。雄嵌合部１４はこのような切り込み部３１により凸部１４ｂを持った部分が二股状の表裏面片１４ｃ、１４ｄに分割され、雌嵌合部１３の表面片１３ｃと裏面片１３ｄ間にそれらを凸部１４ｂで表裏側に押し退けながら進入する際の反力で弾性的に押し寄せられるので、切り込み部３１がない場合に比し雌雄嵌合部１３、１４を突合せ嵌合しやすくなる。
【００２８】
もっとも、雄嵌合部１４に切り込み部３１を設けて、雌嵌合部１３の側の切り込み部２１を省略して雌雄嵌合部１３、１４を弾性嵌合させる嵌合構造とすることもできる。
【産業上の利用可能性】
【００２９】
本発明は首輪に実用してベルトが針金などに引っ掛かったような場合に連結が外れる安全機能を十分に発揮する。
【図面の簡単な説明】
【００３０】
【図１】本発明の実施の形態に係るベルト連結具の１つの例を示す平面図である。
【図２】図１のベルト連結具の側面図である。
【図３】図１のベルト連結具の裏面図である。
【図４】図１のベルト連結具の縦断面図である。
【図５】図１のベルト連結具の雌雄部材間の回動範囲とそれに対応した係合域を示す平面図である。
【図６】図１〜図５のベルト連結具を用いた本発明の実施の形態に係る猫の首輪を示す斜視図である。
【図７】本発明の実施の形態に係るベルト連結具の今１つの例を示す斜視図である。
【符号の説明】
【００３１】
Ａ  雌部材
Ｂ  雄部材
Ｃ  ベルト
Ｄ  引っ掛かり緩和部
１、１０１  ベルト連結具
２  猫の首輪
１１、１２  ベルト繋ぎ部
１３  雌嵌合部
１４  雄嵌合部
１３ａ、１４ａ  嵌合面
１３ｂ  凹部
１４ｂ  凸部
１３ｂ３、１４ｂ３  アール面
１３ｃ、１４ｃ  表面片
１３ｄ、１４ｄ  裏面片
１５  周壁
１５ａ  一方側の端部
１５ｂ  他方側の端部
１６ａ  一方側の肩部
１６ｂ  他方側の肩部
２１、３１  切り込み部
【図１】
2007282531.tif 000003
【図２】
2007282531.tif 000004
【図３】
2007282531.tif 000005
【図４】
2007282531.tif 000006
【図５】
2007282531.tif 000007
【図６】
2007282531.tif 000008
【図７】
2007282531.tif 000009